(57)【要約】  再生装置は、発話音声として再生されるデータを含む聴覚的言語データを取得する取得部と、前記聴覚的言語データを解析し、解析結果を出力する解析部と、前記解析結果に基づいて、前記聴覚的言語データの少なくとも一部を設定された再生速度で再生される制御部分に設定する設定部と、前記制御部分を前記設定された再生速度で発話音声として再生する音声再生部と、を具備する。
2014069220.tif 000002
【特許請求の範囲】
【請求項１】
発話音声として再生されるデータを含む聴覚的言語データを取得する取得部と、
前記聴覚的言語データを解析して、解析結果を出力する解析部と、
前記解析結果に基づいて、前記聴覚的言語データの少なくとも一部を設定された再生速度で再生される制御部分に設定する設定部と、
前記制御部分を前記設定された再生速度で発話音声として再生する音声再生部と、
を具備する再生装置。
【請求項２】
再生速度のユーザ指示を検出する検出部を具備し、
前記音声再生部は、前記聴覚的言語データのうち前記制御部分に設定されていない部分を、ユーザ指示に応じた再生速度で再生する請求項１に記載の再生装置。
【請求項３】
前記指示検出部は、第１の再生速度で前記聴覚的言語データを再生させている期間中に、ユーザ指示として、再生速度の低下を指示する速度低下指示を検出し、
前記音声再生部は、前記速度低下指示に応答して、前記聴覚的言語データの再生位置を巻き戻し、
前記音声再生部は、前記第１の再生速度よりも遅い第２の再生速度にて巻き戻された再生位置から前記聴覚的言語データを再生する請求項２に記載の再生装置。
【請求項４】
前記聴覚的言語データは、第１の単位を含む複数の単位を含み、
前記指示検出部は、第１の再生速度で前記第１の単位を再生させている期間中に、ユーザ指示として、再生速度の低下を指示する速度低下指示を検出し、
前記音声再生部は、前記速度低下指示に応答して、前記第１の再生速度よりも遅い第２の再生速度にて前記聴覚的言語データを前記第１の単位の先頭から再生する請求項３に記載の再生装置。
【請求項５】
前記聴覚的言語データは、第１の単位を含む複数の単位を含み、
前記指示検出部は、第１の再生速度で前記第１の単位を再生させている期間中に、ユーザ指示として、再生速度の低下を指示する速度低下指示を検出し、
前記音声再生部は、前記速度低下指示に応答して、前記第１の再生速度よりも遅い第２の再生速度にて前記聴覚的言語データを前記第１の単位の先頭よりも前の再生位置から再生する請求項３に記載の再生装置。
【請求項６】
前記音声再生部は、前記制御部分の再生音量を大きくする請求項１から５のいずれか一項に記載の再生装置。
【請求項７】
前記聴覚的言語データをテキストにてスクロール可能に表示する表示部をさらに具備し、
前記ユーザ指示検出部は、前記表示部の表示する前記聴覚的言語データに対するスクロール操作を前記再生速度のユーザ指示として検出する
請求項１から６のいずれか一項に記載の再生装置。
【請求項８】
前記表示部は、前記聴覚的言語データのうち前記音声再生部が再生している部分をテキストにて表示するように表示のスクロールを行う請求項７に記載の再生装置。
【請求項９】
前記設定部は、前記聴覚的言語データの種類に基づいて前記制御部分の設定を行う請求項１から８のいずれか一項に記載の再生装置。
【請求項１０】
前記解析部は、前記聴覚的言語データが使用されるアプリケーションプログラムに基づいて、前記聴覚的言語データの種類を判定する請求項９に記載の再生装置。
【請求項１１】
発話音声として再生されるデータを含む聴覚的言語データを取得する取得部と、
前記聴覚的言語データを解析して、解析結果を出力する解析部と、
前記解析結果に基づいて、前記聴覚的言語データの少なくとも一部を設定された再生速度で再生される制御部分に設定する設定部と、
を具備する設定装置。
【請求項１２】
発話音声として再生されるデータを含む聴覚的言語データを取得し、
前記聴覚的言語データを解析して、解析結果を出力し、
前記解析結果に基づいて、前記聴覚的言語データの少なくとも一部を設定された再生速度で再生される制御部分に設定し、
前記制御部分を前記設定された再生速度で発話音声として再生する、
ことを含む再生方法。
【請求項１３】
コンピュータに、
発話音声として再生されるデータを含む聴覚的言語データを取得し、
前記聴覚的言語データを解析して、解析結果を出力し、
前記解析結果に基づいて、前記聴覚的言語データの少なくとも一部を設定された再生速度で再生される制御部分に設定し、
前記制御部分を前記設定された再生速度で発話音声として再生する、
ことを実行させるためのプログラム。
【発明の詳細な説明】
【技術分野】
【０００１】
本発明は、聴覚的言語データを再生する再生装置、再生速度が制御される部分を設定する設定装置、再生方法およびプログラムに関する。
【背景技術】
【０００２】
情報媒体として、書籍や新聞やウェブ画面など、文字や図や写真など視覚的な情報伝達手段を用いた視覚情報媒体（情報を視覚的に提供する情報媒体）が多数存在する。
視覚情報媒体を閲覧する場合、ユーザ（情報媒体の利用者）は、二次元に配置されている情報の取捨選択を行うことができる。このため、ユーザは、比較的短時間のうちに所望の情報を把握し得る。例えば、ユーザは、新聞の紙面を見渡して所望の記事を選択し、選択した記事のみを詳細に読むことができる。【０００３】
例えば歩行中や自動車の運転中の場合、周囲の状況を確認するために視覚を用いる必要がある。このため、視覚的情報媒体を注視することができない、あるいは、視覚的情報媒体を注視すべきでない。このように、視覚的情報媒体の利用が適当でない場合がある。
視覚的情報媒体の利用が適当でない場合、ユーザがオーディオプレーヤ（Audio Player）などの聴覚情報媒体（情報を聴覚的に提供する情報媒体）を利用して情報を把握することが考えられる。特に、聴覚情報媒体が発話を含む音を出力することで、多くの情報をユーザに提供し得る。ここでいう発話とは、言語としての音である。【０００４】
情報の聴覚的な提供に関連して幾つかの技術が提案されている。
例えば、特許文献１では、通常の音声の再生に比べてゆっくり感が高い音声の再生を目的として、音声及び非音声の出力時間長を伸張するための技術が示されている。
特許文献２では、音声データの再生時に、音声データの再生条件を、単位音声データ（単語等）毎に変更するための技術が示されている。
【先行技術文献】
【特許文献】
【０００５】
【特許文献１】日本国特開２００９−０７５２８０号公報
【特許文献２】日本国特開２００７−２１９１４１号公報
【発明の概要】
【発明が解決しようとする課題】
【０００６】
文字や図や写真などの視覚的な表示と異なり、音の出力は、時系列にて行われる。従って、聴覚情報媒体が情報を提供する際、ある程度の時間が必要となる。
例えば、オーディオプレーヤが再生する音データは、一般的には再生速度が定められている。この再生速度に従ってオーディオプレーヤが音データを最初から最後まで再生する場合、その音データの再生時間として規定される所定時間が必要となる。オーディオプレーヤが再生速度を速めれば、音データの再生に要する時間は短くなる。しかしながら、ユーザが情報を把握可能な再生速度には限度がある。特に、再生音に発話が含まれる場合、再生速度が速すぎると、ユーザは、発話を言語として聴き取れなくなってしまう。【０００７】
このように、音の出力が時系列にて行われることに起因して、ユーザが、聴覚的情報媒体の提供する情報の概要を把握して、情報の取捨選択を行う際にも時間が必要となる。
一例として、ユーザが、内容を未知の音データ（例えばユーザが初めて聴く音データ）から情報を把握したい場合について説明する。この場合、所望の情報を含む箇所を検出するため、または、そもそも所望の情報を含むか否かを判断するために、音データを最初から最後まで、情報を把握しながら聴くことが考えられる。その際、上記のように、ユーザが情報を把握可能な再生速度には限度がある。このため、データを聴くのに要する時間の短縮には限度がある。ここでいう音データの内容とは、音データの示す情報である。【０００８】
特許文献１に示される技術は、例えば音声の再生速度を速めた際に、ゆっくり感が高い音声を再生するための技術である。すなわち、特許文献１に示される技術は、再生に要する時間を変化させるための技術ではない。この点において、特許文献１に示される技術では、ユーザが、聴覚的情報媒体の提供する情報の概要をより短い時間で把握して、情報の取捨選択を行うことはできない。
特許文献２に示される技術では、音声データの再生速度を変更するために、単位音声データ毎（例えば単語毎）に予め制御データを設定しておく、あるいは、予め単語帳に単語を登録しておく必要がある。かかる制御データの設定や単語の登録を行うためには、ユーザが、音声データの内容を予め把握しておく必要がある。従って、特許文献２に示される技術では、ユーザが、聴覚的情報媒体の提供する情報の概要をより短い時間で把握して情報の取捨選択を行うことはできない。【０００９】
本発明の目的の一例は、上述の課題を解決することのできる再生装置、設定装置、再生方法およびプログラムを提供することである。
【課題を解決するための手段】
【００１０】
本発明の実施態様に係る再生装置は、発話音声として再生されるデータを含む聴覚的言語データを取得する取得部と、前記聴覚的言語データを解析して、解析結果を出力する解析部と、前記解析結果に基づいて、前記聴覚的言語データの少なくとも一部を設定された再生速度で再生される制御部分に設定する設定部と、前記制御部分を前記設定された再生速度で発話音声として再生する音声再生部と、を具備する。【００１１】
本発明の実施態様に係る設定装置は、発話音声として再生されるデータを含む聴覚的言語データを取得する取得部と、前記聴覚的言語データを解析して、解析結果を出力する解析部と、前記解析結果に基づいて、前記聴覚的言語データの少なくとも一部を設定された再生速度で再生される制御部分に設定する設定部と、を具備する。【００１２】
本発明の実施態様に係る再生方法は、発話音声として再生されるデータを含む聴覚的言語データを取得し、前記聴覚的言語データを解析して、解析結果を出力し、前記解析結果に基づいて、前記聴覚的言語データの少なくとも一部を設定された再生速度で再生される制御部分に設定し、前記制御部分を前記設定された再生速度で発話音声として再生する、ことを含む。【００１３】
本発明の実施態様に係るプログラムは、コンピュータに、発話音声として再生されるデータを含む聴覚的言語データを取得し、前記聴覚的言語データを解析して、解析結果を出力し、前記解析結果に基づいて、前記聴覚的言語データの少なくとも一部を設定された再生速度で再生される制御部分に設定し、前記制御部分を前記設定された再生速度で発話音声として再生することを実行させる。
【発明の効果】
【００１４】
本発明の実施形態によれば、ユーザが、内容を未知の音データに含まれる情報の取捨選択を、より短時間で行うことができる。
【図面の簡単な説明】
【００１５】
【図１】本発明の実施形態における聴覚的言語データ再生装置の機能構成を示す概略ブロック図である。
【図２】本発明の実施形態において、音声再生部がユーザ操作に基づいて再生速度を変化させる例を示す説明図である。
【図３】本発明の実施形態において、音声再生部が再生速度制御部分の設定に応じて再生速度を変化させる例を示す説明図である。
【図４Ａ】本発明の実施形態における、聴覚的言語データの種類毎の、再生速度制御部分の設定規則の例を示す説明図である。
【図４Ｂ】本発明の実施形態における、聴覚的言語データの種類毎の、再生速度制御部分の設定規則の例を示す説明図である。
【図４Ｃ】本発明の実施形態における、聴覚的言語データの種類毎の、再生速度制御部分の設定規則の例を示す説明図である。
【図５】本発明の実施形態において、聴覚的言語データ再生装置が聴覚的言語データに再生速度制御部分を設定して再生する際の処理手順を示すフローチャートである。
【図６】本発明の別の実施形態における聴覚的言語データ再生装置の主要部分を示す概略ブロック図である。
【図７】本発明のさらに別の実施形態における再生速度制御部分設定装置の機能構成を示す概略ブロック図である。
【発明を実施するための形態】
【００１６】
以下、図面を参照して、本発明の実施の形態について説明する。図１は、本発明の実施形態における聴覚的言語データ再生装置の機能構成を示す概略ブロック図である。図１において、聴覚的言語データ再生装置（以下、単に「再生装置」とも称する）１００は、通信部１１０と、聴覚的言語データ取得部（以下、単に「取得部」とも称する）１２０と、表示部１３０と、音声再生部１４０と、操作入力部１５０と、制御部１９０とを具備する。取得部１２０は、記憶デバイス１２１を具備する。制御部１９０は、通信制御部１９１と、解析部１９２と、表示制御部１９３と、再生速度制御部分設定部（以下、単に「設定部」とも称する）１９４と、ユーザ指示検出部（以下、単に「検出部」とも称する）１９５と、アプリケーション実行部１９６とを具備する。
【００１７】
再生装置１００は、聴覚的言語データを再生して発話音声を出力する。聴覚的言語データとは、発話音声として再生可能なデータである。聴覚的言語データは、発話音声を示す音データや、テキストデータまたはワープロ（Word Processor）データなどの文章データを含んでもよい。ここでいう発話音声とは、言語の聴覚的な表現としての音である。再生装置１００が出力する発話音声は、人間の発した音声を録音した音声であってもよいし、合成音声であってもよい。
再生装置１００のユーザ（以下、単に「ユーザ」と称する）は、再生装置１００が出力する発話音声を聴くことで情報を取得できる。
【００１８】
以下では、再生装置１００が携帯端末装置（携帯電話機またはスマートフォン）である場合を例に説明する。しかしながら、本発明の適用範囲は携帯端末装置に限らない。再生装置１００は、聴覚的言語データを再生可能な、オーディオプレーヤや、ゲーム機や、パソコン（Personal Computer；ＰＣ）や、携帯情報端末（Personal Digital Assistants；ＰＤＡ）であてもよい。
【００１９】
通信部１１０は、携帯電話網（通信事業者が携帯端末装置向けに提供する通信ネットワーク）に接続して通信を行う。
取得部１２０は、聴覚的言語データを取得する。具体的には、取得部１２０の具備する記憶デバイス１２１が、聴覚的言語データを記憶している。取得部１２０は、記憶デバイス１２１から聴覚的言語データを読み出すことでその聴覚的言語データを取得する。
取得部１２０が聴覚的言語データを取得する方法は、記憶デバイス１２１から聴覚的言語データを読み出す方法に限らない。この方法としては、再生速度可変に聴覚的言語データを取得する様々な方法を用いることができる。例えば、取得部１２０が、外部記憶装置に接続してその外部記憶装置から聴覚的言語データを読み出してもよい。
【００２０】
音声再生部１４０は、スピーカを有し、音を出力する。特に、音声再生部１４０は、設定部１９４の設定に従って聴覚的言語データを再生して発話音声を出力する。設定部１９４が聴覚的言語データに再生速度制御部分（以下、単に「制御部分」とも称する）を設定する。この制御部分とは、再生速度に関する所定の制御規則に従って再生すべき部分を示す。
音声再生部１４０は、聴覚的言語データを再生する際、制御部分に設定されている部分を、再生速度に関する所定の制御規則に従って再生する。音声再生部１４０は、聴覚的言語データのうち制御部分に設定されていない部分を、ユーザ指示に応じた再生速度で再生する。
再生速度に関する所定の制御規則として、様々な制御規則を適用することができる。例えば、制御部分に適用される制御規則は、所定の再生速度で再生するという規則あってもよいし、ユーザの指示する再生速度の半分の再生速度で再生すべきという規則であってもよい。
【００２１】
図２および図３を参照して、音声再生部１４０が聴覚的言語データを再生する再生速度について説明する。
図２は、音声再生部１４０がユーザ操作に基づいて再生速度を変化させる例を示す説明図である。図２は、制御部分が設定されていない場合の例を示している。
【００２２】
図２の（Ａ）部は、聴覚的言語データの再生速度の設定例を示す。図２の（Ａ）部において、聴覚的言語データは単位Ａ〜Ｆに分割されている。各単位に対して再生速度が設定されている。
ここでいう単位とは、聴覚的言語データを言語的な意味に基づいて分割した一纏まりである。単位として、単語、文節、文、または段落といった、様々なレベルにおける言葉の単位を用いることができる。単位として、２文を１単位とする、または、聴覚的言語データを一定時間毎に分割して単位とするなど、言葉の単位以外の単位を用いるようにしてもよい。
【００２３】
ここで設定されている再生速度は、標準となる再生速度を示している。音声再生部１４０は、標準速度での再生（以下、「標準再生」と称する）を指示された際に、この標準となる再生速度にて再生を行う。図２の例では、初期の設定として、単位Ａ〜Ｆのいずれにも同一の再生速度が設定されている。符号Ｈから単位Ａ〜Ｆ各々への線は、再生速度が、単位ごとに設定されることを示している。
聴覚的言語データの再生速度の設定方法は、図２の（Ａ）部に示すように単位毎に設定を行う方法に限らない。音声再生部１４０が、聴覚的言語データを標準再生する際の再生速度を取得可能な様々な方法を、聴覚的言語データの再生速度の設定方法として用いることができる。例えば、聴覚的言語データが音データの場合、その音データの規格にて聴覚的言語データ全体の再生速度が示されていてもよい。聴覚的言語データが文章データの場合、音声再生部１４０が実行する文章データを読み上げる機能において、各文書データに共通の標準読み上げ速度が設定されていてもよい。
【００２４】
図２の（Ｂ）部は、聴覚的言語データを再生する際の再生速度の例を示す。図２の（Ｂ）部において、各単位はユーザ操作に応じた再生速度で再生されている。ユーザ操作の例には、「ちゃんと聴く」および「聞き流す」が含まれる。「ちゃんと聴く」は、標準再生を指示するユーザ操作である。また、「聞き流す」は、高速再生を指示するユーザ操作である。ここでいう高速再生は、例えば標準となる再生速度の３倍など、標準再生時よりも高速な所定の再生速度での再生を指示するユーザ操作である。図２の（Ｂ）部において、符号Ｊ１およびＪ３は、ユーザが単位Ａ、Ｂ、Ｅ、Ｆに「聞き流す」を設定していることを示している。符号Ｊ２は、再生中の設定変更により、ユーザが単位ＣおよびＤに「ちゃんと聴く」が設定していることを示している。  図２の（Ｂ）部において、符号Ｉ１は、単位ＡおよびＢに、高速再生（音声小）が設定されていることを示している。符号Ｉ２は、再生中の設定変更により、単位ＣおよびＤに、標準再生（音声大）が設定されていることを示している。符号Ｉ３は、単位ＥおよびＦに、高速再生（音声小）が設定されていることを示している。
【００２５】
ユーザは、「聞き流す」のユーザ操作にて高速再生を選択することで、より短時間で聴覚的言語データ全体を再生装置１００に再生させて、所望の情報を含む箇所を検出し得る。所望の情報を含む箇所を検出したユーザは、該当箇所を再生装置１００に標準させることで、所望の情報を取得し得る。
【００２６】
図２の例の場合、ユーザは、聴覚的言語データを先頭の単位Ａから順に再生装置１００に高速再生させている。単位Ｃを再生した発話音声を聴いたユーザは、単位Ｃが所望の情報を含む箇所であることを認識して再生装置１００に標準再生を指示する。図２の例においてユーザは、再生装置１００に単位Ｃおよび単位Ｄを標準再生するように指示しており、これらの単位から情報を取得できる。
【００２７】
音声再生部１４０は、再生速度を低下させるユーザ指示を検出部１９５が検出すると、現在の再生位置から再生位置を巻き戻して、低下させた再生速度にて、巻き戻した位置から聴覚的言語データの再生を開始する。より具体的には、音声再生部１４０は、再生速度を低下させるユーザ指示を検出部１９５が検出すると、現在の再生位置を含む単位の先頭へ再生位置を巻き戻す。さらに、音声再生部１４０は、低下させた再生速度にて単位の先頭から聴覚的言語データの再生を開始する。
【００２８】
例えば、図２の（Ｂ）部に示す例において、単位Ｃの高速再生中にユーザが、操作入力部１５０に「ちゃんと聴く」の指示を入力することによって標準再生を指示する。この指示に応答して、音声再生部１４０は、単位Ｃの先頭へ再生位置を巻き戻し、単位Ｃの先頭から標準再生を行う。
単位Ｃを高速再生した発話音声を聴いて単位Ｃに所望の情報が含まれていると判断したユーザは、通常、単位Ｃの途中で標準再生を指示する。しかし、音声再生部１４０が文の途中や単語の途中など単位の途中から標準再生を行った場合、ユーザが所望の情報を取得できない。
そこで、音声再生部１４０は単位の先頭へ再生位置を巻き戻し、その単位の先頭から標準再生を行っている。このため、ユーザが所望の情報を取得し易くなる。
【００２９】
別法として以下のように再生を行ってもよい。すなわち、検出部１９５が再生速度を低下させるユーザ指示を検出部１９５が検出すると音声再生部１４０が現在の再生位置を含む単位の先頭よりもさらに遡った位置へ再生位置を巻き戻す。さらに、音声再生部１４０が低下させた再生速度にて遡った位置から聴覚的言語データを再生する。
ここでいう遡った位置とは、聴覚的言語データ全体を連続的に再生した場合に、より早い時刻に再生される箇所を指す。
【００３０】
具体例を、図２の（Ｂ）部を参照して説明する。操作入力部１５０は、ユーザから、単位Ｃの高速再生中に「ちゃんと聴く」の指示を受け付ける。その指示に応答して、検出部１９５は、標準再生を検出する。すると、音声再生部１４０は、単位Ｃの先頭よりも所定時間（例えば標準再生時の時間で５秒）遡った単位Ｂの途中の位置へ再生位置を巻き戻す。さらに、音声再生部１４０は、その単位Ｂの途中の位置から聴覚的言語データの標準再生を行う。
これにより、ユーザは、所望の情報を含む単位（例えば単位Ｃ）と、その前の単位（例えば単位Ｂ）との関係を把握することができ、所望の情報をより取得し易くなる。
【００３１】
但し、上述した、音声再生部１４０が再生位置を巻き戻して低下させた再生速度にて聴覚的言語データを再生する処理は必須ではない。従って、再生速度を低下させるユーザ指示が行われた際、音声再生部１４０が、再生位置の巻き戻しを行わずに、そのまま再生速度を低下させて再生を行う（例えば標準再生を行う）ようにしてもよい。
【００３２】
図２の（Ｂ）部の例において、音声再生部１４０は、比較的大きい音量で標準再生を行い、比較的小さい音量で高速再生を行っている。比較的大きい音量とは、標準の音量よりも大きい音量である。比較的小さい音量とは、標準の音量よりも小さい音量である。
これにより、ユーザが、再生装置１００に聴覚的言語データを高速再生させて所望の情報を含む箇所を探す際、再生される音声がユーザや周囲の他者に耳障りとなるおそれを低減させ得る。かつ、ユーザが所望する情報を含む箇所については、音声再生部１４０が比較的大きい音量で再生を行うことで、ユーザが、所望の情報を得易くなる。
【００３３】
但し、音声再生部１４０が比較的大きい音量で標準再生を行い、比較的小さい音量で高速再生を行う処理は必須ではない。音声再生部１４０が、標準再生と高速再生とを同じ音量で行うようにしてもよい。
別法として、音声再生部１４０が、標準再生時よりも大きい音量で高速再生を行うようにしてもよい。これにより、高速再生時にユーザが、所望の情報を含む箇所を検出し易くすることができる。
【００３４】
図３は、音声再生部１４０が制御部分の設定に応じて再生速度を変化させる例を示す説明図である。
図３の（Ａ）部は、聴覚的言語データの再生速度および制御部分の設定例を示す。
図３の（Ａ）部において、聴覚的言語データは単位Ａ〜Ｆに分割されており、各単位に対して再生速度が設定されている。さらに、単位Ｄは制御部分に設定されている。符号Ｈから単位Ａ〜Ｆ各々への線は、再生速度が、単位ごとに設定されることを示している。符号Ｌは、単位Ｄが制御部分に設定されていることを示している。
図３の例では、制御部分は標準再生すべき部分を示している。
【００３５】
図３の（Ｂ）部は、聴覚的言語データを再生する際の再生速度の例を示す。図３の（Ｂ）部において、ユーザは、「聞き流す」のユーザ操作を行って高速再生を指示している。そこで、音声再生部１４０は、制御部分に設定されていない単位Ａ〜Ｃおよび単位Ｅ〜Ｆを、その指示に応じて高速再生している。これに対して、制御部分に設定されている単位Ｄについては、音声再生部１４０は、設定に従って標準再生している。図３の（Ｂ）部において、符号Ｎは、ユーザが単位Ａ〜Ｆに「聞き流す」を設定していることを示している。
図３の（Ｂ）部において、符号Ｍ１およびＭ３は、単位Ａ〜Ｃ、ＥおよびＦに高速再生（音声小）が設定されていることを示している。符号Ｍ２は、単位Ｄに、標準再生（音声大）が設定されていることを示している。
【００３６】
後述するように、解析部１９２が聴覚的言語データを解析し、解析結果に基づいて設定部１９４が聴覚的言語データの各単位のうち重要である可能性の高い部分を制御部分に設定する。これにより、音声再生部１４０が聴覚的言語データのうち重要な部分を比較的低速で再生する（図３の例では重要な部分を標準再生している）。その結果、ユーザが所望の情報を得易くすることができる。
一方、制御部分に設定されていない部分については、音声再生部１４０がユーザの指示に応じた速度で再生する。このため、ユーザが、より高速な再生（図３の例では高速再生）を指示することで、聴覚的言語データ全体の再生時間を短縮することができる。
従って、ユーザは、内容を未知の音データに含まれる情報の取捨選択を、より短時間で行うことができる。
【００３７】
音声再生部１４０は、制御部分の再生音量を大きくする。図３の（Ｂ）部の例では、音声再生部１４０は、比較的大きい音量で制御部分の再生を行っている。一方、音声再生部１４０は、比較的小さい音量で制御部分以外の部分の再生を行っている。
これにより、制御部分以外の部分について音声再生部１４０が高速再生を行う。その結果、ユーザが制御部分以外の部分について所望の情報が存在するか否かを判断する際、再生される音声がユーザや周囲の他者に耳障りとなるおそれを低減させ得る。かつ、制御部分については、音声再生部１４０が比較的大きい音量で再生を行う。その結果、ユーザが、所望の情報を得易くなる。
【００３８】
但し、音声再生部１４０が比較的大きい音量で制御部分の再生を行い、比較的小さい音量で制御部分以外の部分の再生を行う処理は必須ではない。音声再生部１４０が、制御部分と他の部分とを同じ音量で再生してもよい。
別法として、音声再生部１４０が、制御部分の再生時よりも大きい音量で、制御部分以外の部分の再生を行うようにしてもよい。これにより、制御部分以外の部分を高速再生する際に、ユーザが、所望の情報を含む箇所を検出し易くすることができる。
【００３９】
音声再生部１４０が、制御部分を所定の音量（比較的大きい音量または比較的小さい音量）で再生する場合について説明する。この場合、音声再生部１４０は、制御部分以外の部分を、一定の音量で再生するようにしてもよい。別法として、音声再生部１４０は、ユーザの指示する再生速度に応じて音量を変化させるようにしてもよい。
【００４０】
上記では、音声再生部１４０が、制御部分を比較的低速で再生（図３の例では標準再生）する場合について説明したが、この場合に限られない。音声再生部１４０が、制御部分を比較的高速で再生（図３の例では高速再生）するようにしてもよい。
例えば、設定部１９４が、聴覚的言語データの各単位のうち重要である可能性の比較的低い部分を制御部分に設定する。これにより、ユーザが、聴覚的言語データを発話音声にて聴く際、音声再生部１４０は、重要である可能性の比較的低い部分を比較的高速で再生することができる。このように再生を行うことで、聴覚的言語データ全体の再生時間を短縮することができる。
一方、重要である可能性の高い部分である制御部分に設定されていない部分については、音声再生部１４０は、ユーザの指示に応じた再生速度で再生を行う。これにより、ユーザは、重要である可能性の高い部分のうち所望の情報を含むと判断した部分を比較的低速で再生（図３の例では標準再生）させて、所望の情報を得ることができる。
【００４１】
図１に戻って説明を続ける。表示部１３０は、例えば液晶パネルまたは有機ＥＬ（Organic Electroluminescence）パネルなどの表示画面を有していてもよい。表示部１３０は、動画像や静止画像やテキスト（すなわち文字）など各種画像を表示する。特に、表示部１３０は、聴覚的言語データをテキストにてスクロール可能に表示する。さらには、表示部１３０は、聴覚的言語データのうち音声再生部１４０が再生している部分をテキストにて表示するように表示のスクロールを行う。
【００４２】
これにより、ユーザは、音声再生部１４０が再生する聴覚的言語データを視覚的にも確認することできる。例えば、ユーザは、音声再生部１４０が再生する聴覚的言語データを周囲の雑音等の影響で聴き取れなかった場合でも、表示部１３０の表示するテキストにて確認することができる。
また、ユーザは、音声再生部１４０の出力する発話音声にて聴覚的言語データの内容を確認できる。このため、表示部１３０を見続ける必要なしに、所望の情報を取得し得る。
【００４３】
但し、表示部１３０が、聴覚的言語データをテキストにてスクロール可能に表示することは必須ではない。例えば、再生装置１００が表示部１３０を具備しない構成としてもよい。
操作入力部１５０は、例えば表示部１３０の表示画面に設けられてタッチパネルを構成するタッチセンサなどの入力デバイスを有していてもよい。操作入力部１５０は、ユーザ操作を受け付ける。
【００４４】
制御部１９０は、再生装置１００の各部を制御して各種機能を実行する。制御部１９０は、例えば再生装置１００が有するＣＰＵ（CentralProcessing Unit；中央処理装置）が、再生装置１００が有する記憶デバイスからプログラムを読み出して実行することで実現されてもよい。
通信制御部１９１は、通信部１１０を制御して、通信部１１０に通信を行わせる。
表示制御部１９３は、表示部１３０を制御して、表示部１３０に各種画像を表示させる。
アプリケーション実行部１９６は、各種アプリケーションプログラムを実行する。
【００４５】
検出部１９５は、操作入力部１５０が受けたユーザ操作を検出する。特に、検出部１９５は、再生速度のユーザ指示を検出する。
再生速度を指示するユーザ操作として様々な操作を用いることができる。例えば、操作入力部１５０は、再生速度毎の入力キー（押ボタンまたは画面表示されるアイコン）、あるいは再生速度増減の入力キーを有していてもよい。検出部１９５は、それらの入力キーに対するキー操作を、再生速度を指示するユーザ操作として検出してもよい。
【００４６】
別法として、操作入力部１５０は、再生速度を切り替えるダイヤルスイッチを有していてもよい。検出部１９５は、そのダイヤルスイッチに対するダイヤル操作を、再生速度を指示するユーザ操作として検出してもよい。
別法として、表示部１３０が、聴覚的言語データ全体の再生時間における現在の再生位置を示すスクロールバーないしスライドスイッチを表示してもよい。検出部１９５は、そのスクロールバーないしスライドスイッチに対するタッチ操作（スクロール操作またはスライド操作）を、再生速度を指示するユーザ操作として検出してもよい。
【００４７】
特に、表示部１３０が、聴覚的言語データをテキストにてスクロール表示し、音声再生部１４０が再生している部分を表示するように表示のスクロールを行う場合について説明する。この場合、検出部１９５は、表示部１３０の表示に対するスクロール操作を再生速度のユーザ指示として検出してもよい。
これにより、ユーザは、表示部１３０の表示対するスクロール操作と、再生速度を指示するユーザ操作とを別々に行う必要がない。この点で、ユーザの手間を省くことができる。
【００４８】
但し、検出部１９５が、再生速度のユーザ指示を検出する処理は必須ではない。例えば、再生装置１００が検出部１９５を具備しない構成としてもよい。この場合、音声再生部１４０は、制御部分の設定に応じた再生速度にて聴覚的言語データの再生を行う。具体的には、この場合、音声再生部１４０は、制御部分を標準再生し、制御部分に設定されていない部分を高速再生してもよい。
【００４９】
解析部１９２は、取得部１２０が取得した聴覚的言語データを解析する。解析部１９２が行う解析として、様々な解析を用いることができる。例えば、解析部１９２は、聴覚的言語データの言語解析（例えば、使用されている言語の解析や、構文解析など）を行ってもよい。解析部１９２は、音声が有るか否かを解析してもよい。
別法として、解析部１９２は、音声の強弱を解析してもよい。解析部１９２は、音声の高低を解析してもよい。さらには、解析部１９２は、音声の強弱と音声の高低とを解析するなど、複数の解析を行ってもよい。特に、解析部１９２が聴覚的言語データの構文解析を行う場合について説明する。この場合、解析部１９２は、構文解析結果に基づいて、聴覚的言語データを単語、文節、文、または段落といった文の単位に分割することができ、分割した各々を聴覚的言語データの単位とすることができる。
【００５０】
以下では、解析部１９２が、聴覚的言語データの種類を解析する場合を例に説明する。
例えば、解析部１９２は、聴覚的言語データの種類の解析として、言語が英語か日本語かといった、聴覚的言語データの言語の判定を行う。また、解析部１９２は、聴覚的言語データの種類の解析として、聴覚的言語データの用途の判定を行う。聴覚的言語データの用途には、ソーシャル・ネットワーク・サービス（Social Network Service；ＳＮＳ）の投稿文、新聞または雑誌等の記事、電子メール等のメッセージが含まれていてもよい。
【００５１】
解析部１９２は、聴覚的言語データを使用するアプリケーションプログラムに基づいて、その聴覚的言語データの種類を判定してもよい。
具体例を以下に示す。アプリケーション実行部１９６が、モバイルブラウザ（Mobile Browser、携帯端末装置など携帯機器向けのウェブブラウザ）のアプリケーションプログラムを実行してＳＮＳのサイトに接続している場合について説明する。この場合、解析部１９２は、アプリケーション実行部１９６が取得して記憶デバイス１２１に記憶させる聴覚的言語データが、ＳＮＳの投稿文であると判定する。
【００５２】
アプリケーション実行部１９６が、モバイルブラウザのアプリケーションプログラムを実行して新聞記事を閲覧するためのサイトに接続している場合について説明する。この場合、解析部１９２は、アプリケーション実行部１９６が取得して記憶デバイス１２１に記憶させる聴覚的言語データが、新聞記事であると判定する。
アプリケーション実行部１９６が、モバイルブラウザのアプリケーションプログラムを実行して、ＳＮＳや記事以外のウェブサイトに接続している場合について説明する。この場合、解析部１９２は、アプリケーション実行部１９６が取得して記憶デバイス１２１に記憶させる聴覚的言語データが、ウェブページであると判定する。
【００５３】
アプリケーション実行部１９６が、電子メールのアプリケーションプログラムを実行している場合について説明する。この場合、解析部１９２は、アプリケーション実行部１９６が取得して記憶デバイス１２１に記憶させる聴覚的言語データが、電子メールメッセージであると判定する。
別法として、解析部１９２は、聴覚的言語データを使用するアプリケーションプログラム以外の情報に基づいて、その聴覚的言語データの種類を判定してもよい。具体例としては、解析部１９２は、聴覚的言語データのフォーマットを解析して聴覚的言語データの種類を判定してもよい。
【００５４】
設定部１９４は、解析部１９２の解析結果に基づいて、聴覚的言語データに制御部分を設定する。例えば、設定部１９４は、聴覚的言語データの種類に基づいて制御部分の設定を行う。
図４Ａ〜４Ｃは、聴覚的言語データの種類毎の、制御部分の設定規則の例を示す説明図である。
【００５５】
図４Ａ〜４Ｃにおいて、符号ｈは先頭を示す。符号ｅは末尾を示す。
図４Ａ〜４Ｃに示す設定規則に基づいて、設定部１９４は制御部分を設定する。
設定部１９４は、英語の聴覚的言語データに対しては、文章の頭の方の再生速度が比較的低速になるように制御部分を設定する。例えば、制御部分が標準再生を行う部分を示す場合、設定部１９４は、文章の頭の方に位置する単位を制御部分に設定する。これにより、文章の頭の方に位置する単位が高速再生されることを抑制する。
図４Ａにおいて、符号Ｏ１は、英語向けの設定規則として、再生速度が「遅い」であることが好ましい部分を示す。符号Ｏ２は、英語向けの設定規則として、再生速度が「速い」であることが好ましい部分を示す。
英語の文章では、重要な内容が文章の先頭の方に含まれることが多い。そこで、設定部１９４が文章の先頭の方に位置する単位に制御部分を設定するなど、音声再生部１４０が文章の頭の方を比較的低速で再生する。その結果、ユーザが所望の情報を取得し易くすることができる。ここでの単位は、段落であってもよいし、文であってもよい。
【００５６】
設定部１９４が、単語または文節を単位として文毎に、文頭の方に位置する単位の再生速度が比較的低速になるように制御部分を設定してもよい。英語の文では、主語に続いて述語が配置され、また、否定語も文頭の方に配置されるなど、重要な内容が文頭の方に含まれることが多い。そこで、設定部１９４が、文頭の方に位置する単位の再生速度が比較的低速になるように制御部分を設定する。また、音声再生部１４０が、文頭の方を比較的低速で再生する。その結果、ユーザが所望の情報を取得し易くすることができる。
別法として、設定部１９４が、文を単位として段落ごとに、段落の頭の方に位置する単位の再生速度が比較的低速になるように制御部分を設定してもよい。
【００５７】
設定部１９４は、日本語の聴覚的言語データに対しては、文章の末尾の方の再生速度が比較的低速になるように制御部分を設定する。例えば、制御部分が標準再生を行う部分を示す場合、設定部１９４は、文章の末尾の方に位置する単位を制御部分に設定する。これにより、文章の末尾の方に位置する単位が高速再生されることを抑制する。
図４Ａにおいて、符号Ｐ１は、日本語向けの設定規則として、再生速度が「速い」であることが好ましい部分を示す。符号Ｐ２は、日本語向けの設定規則として、再生速度が「遅い」であることが好ましい部分を示す。
日本語の文章では、重要な内容が文章の末尾の方に含まれることが多い。そこで、設定部１９４が文章の末尾の方に位置する単位に制御部分を設定するなど、音声再生部１４０が文章の末尾の方を比較的低速で再生する。その結果、ユーザが所望の情報を取得し易くすることができる。ここでの単位は、段落であってもよいし、文であってもよい。
【００５８】
設定部１９４が、単語または文節を単位として文毎に、文末の方に位置する単位の再生速度が比較的低速になるように制御部分を設定してもよい。日本語の文では、述語や否定語が文末の方に配置されるなど、重要な内容が文末の方に含まれることが多い。そこで、設定部１９４が、文末の方に位置する単位の再生速度が比較的低速になるように制御部分を設定する。また、音声再生部１４０が、文末の方を比較的低速で再生する。その結果、ユーザが所望の情報を取得し易くすることができる。
別法として、設定部１９４が、文を単位として段落ごとに、段落の末尾の方に位置する単位の再生速度が比較的低速になるように制御部分を設定してもよい。
【００５９】
設定部１９４は、ＳＮＳの投稿文の聴覚的言語データに対しては、文章の末尾の方の再生速度が比較的低速になるように制御部分を設定する。
図４Ａにおいて、符号Ｑ１は、ＳＮＳ向けの設定規則として、再生速度が「速い」且つ音量が「小」であることが好ましい部分を示す。符号Ｑ２は、ＳＮＳ向けの設定規則として、再生速度が「遅い」且つ音量が「大」であることが好ましい部分を示す。
ＳＮＳの投稿文においては、文章の頭の方はあまり重要でないことが多い。従って、重要な内容は文章の末尾の方に含まれることが多い。そこで、設定部１９４が、文章の末尾の方に位置する単位の再生速度が比較的低速になるように制御部分を設定する。また、音声再生部１４０が、文章の末尾の方を比較的低速で再生する。その結果、ユーザが所望の情報を取得し易くすることができる。ここでの単位は、段落であってもよいし、文であってもよい。短い投稿文の場合、文節を単位としてもよい。
【００６０】
設定部１９４は、新聞や雑誌等の記事の聴覚的言語データに対しては、文章の中間辺りの再生速度が比較的低速になるように制御部分を設定する。
符号Ｒ１およびＲ３は、記事向けの設定規則として、再生速度が「速い」且つ音量が「小」であることが好ましい部分を示す。符号Ｒ２は、記事向けの設定規則として、再生速度が「遅い」且つ音量が「大」であることが好ましい部分を示す。
新聞や雑誌等の記事においては、文章の中間辺りで本題に入ることが多い。従って、重要な内容は文章の中間辺りに含まれることが多い。そこで、設定部１９４が、文章の中間辺りに位置する単位の再生速度が比較的低速になるように制御部分を設定する。また、音声再生部１４０が、文章の中間辺りを比較的低速で再生する。その結果、ユーザが所望の情報を取得し易くすることができる。ここでの単位は、段落であってもよいし、文であってもよい。
【００６１】
設定部１９４は、電子メール等のメッセージの聴覚的言語データに対しては、送信者名や本文の再生速度が比較的低速になるように制御部分を設定する。
図４Ｂにおいて、符号Ｓ１およびＳ３は、電子メール向けの設定規則として、再生速度が「遅い」であることが好ましい部分を示す。符号Ｓ２は、電子メール向けの設定規則として、再生速度が「速い」であることが好ましい部分を示す。
設定部１９４が、送信者名の再生速度が比較的低速になるように制御部分を設定する。また、音声再生部１４０が、送信者名を比較的低速で再生する。その結果、ユーザは、送信者名に基づいて重要なメッセージか否かを判定できる。
さらに、設定部１９４が、本文の再生速度が比較的低速になるように制御部分を設定する。また、音声再生部１４０が、本文を比較的低速で再生する。その結果、ユーザが、本文に含まれている所望の情報を取得し易くすることができる。
【００６２】
設定部１９４は、ウェブページの聴覚的言語データに対しては、タイトルや、各段落の頭の方の再生速度が比較的低速になるように制御部分を設定する。ここで、各段落において文を単位とすることができる。
図４Ｃにおいて、符号Ｔ１およびＴ３は、ウェブページ向けの設定規則として、再生速度が「遅い」であることが好ましい部分を示す。符号Ｔ２およびＴ４は、ウェブページ向けの設定規則として、再生速度が「速い」であることが好ましい部分を示す。
設定部１９４が、タイトルの再生速度が比較的低速になるように制御部分を設定する。また、音声再生部１４０が、タイトルを比較的低速で再生する。その結果、ユーザは、タイトルに基づいて重要な文章か否かを判定できる。
ウェブページにおいては、段落の頭の方で要件が示され、続いて補足説明や具体例が示されることが多い。すなわち、ウェブページにおいては、各段落の頭の方に重要な内容が含まれることが多い。そこで、設定部１９４が、各段落の頭の方に位置する単位の再生速度が比較的低速になるように制御部分を設定する。また、音声再生部１４０が、各段落の頭の方を比較的低速で再生する。その結果、ユーザが所望の情報を取得し易くすることができる。
【００６３】
解析部１９２が、聴覚的言語データの音声の強弱を解析する場合について説明する。この場合、設定部１９４が、音声の強い部分（すなわち、比較的大音量で再生される部分）の再生速度が比較的低速になるように制御部分を設定してもよい。
発話者は、重要な部分を強調するために、音声を強めて発話する場合がある。従って、音声の強い部分には重要な内容が含まれている可能性が高い。そこで、設定部１９４が、音声の強い部分の再生速度が比較的低速になるように制御部分を設定する。また、音声再生部１４０が、音声の強い部分を比較的低速で再生する。その結果、ユーザが所望の情報を取得し易くすることができる。ここでは様々な単位を用いることができる。例えば、単語、文節、文または文章を単位としてもよいし、聴覚的言語データを所定時間毎に区切った各部分を単位としてもよい。
【００６４】
解析部１９２が、聴覚的言語データの音程が高いかあるいは低いかを解析する場合について説明する。この場合、設定部１９４が、音程の高い部分の再生速度が比較的低速になるように制御部分を設定してもよい。
発話者が重要な部分をしっかり発話することで、重要な部分の音程が高くなる場合がある。従って、音程の高い部分には重要な内容が含まれている可能性が高い。そこで、設定部１９４が、音程の高い部分の再生速度が比較的低速になるように制御部分を設定する。また、音声再生部１４０が、音程の高い部分を比較的低速で再生する。その結果、ユーザが所望の情報を取得し易くすることができる。ここでは様々な単位を用いることができる。例えば、単語、文節、文または文章を単位としてもよい。聴覚的言語データを所定時間毎に区切った各部分を単位としてもよい。
【００６５】
次に、図５を参照して再生装置１００の動作について説明する。
図５は、再生装置１００が聴覚的言語データに制御部分を設定して再生する際の処理手順を示すフローチャートである。例えば、再生装置１００は、聴覚的言語データを発話音声にて再生するよう要求するユーザ操作を検出すると、図５の処理を行う。
【００６６】
図５の処理において、まず、取得部１２０が、聴覚的言語データを取得し、制御部１９０へ出力する（ステップＳ１０１）。具体的には、取得部１２０は、記憶デバイス１２１の記憶している聴覚的言語データを読み出すことで聴覚的言語データを取得する。
制御部１９０では、解析部１９２が、取得部１２０の取得した聴覚的言語データを解析する（ステップＳ１０２）。
【００６７】
設定部１９４が、解析部１９２の解析結果に基づいて、制御部分の設定規則を選択する（ステップＳ１０３）。設定部１９４が、選択した設定規則に従って、聴覚的言語データに制御部分を設定する。さらに、設定部１９４は、制御部分が設定された聴覚的言語データを音声再生部１４０へ出力する（ステップＳ１０４）。
音声再生部１４０は、設定部１９４からの聴覚的言語データを、設定部１９４の設定した制御部分に従って再生し、発話音声を出力する（ステップＳ１０５）。
その後、図５の処理を終了する。
【００６８】
以上のように、解析部１９２が聴覚的言語データを解析する。設定部１９４は、解析部１９２の解析結果に基づいて、聴覚的言語データに制御部分を設定する。音声再生部１４０は、設定部１９４の設定に従って聴覚的言語データを再生する。
設定部１９４が、解析部１９２の解析結果に基づいて制御部分を設定することで、音声再生部１４０が、聴覚的言語データのうち重要な内容を含む可能性の高い部分を低速で再生することができる。その結果、ユーザが所望の情報を取得し易くすることができる。一方、重要な内容を含む可能性の高い部分以外の部分については、音声再生部１４０が高速で再生できる。その結果、聴覚的言語データ全体の再生時間を短縮することができる。従って、ユーザは、内容を未知の音データに含まれる情報の取捨選択を、より短時間で行うことができる。
【００６９】
音声再生部１４０は、聴覚的言語データのうち制御部分に設定されていない部分を、ユーザ指示に応じた再生速度で再生する。
具体例として、制御部分が比較的低速に再生する部分を示す場合について説明する。この場合、ユーザは、制御部分に設定されていない部分においても、所望の情報を含むと判断した部分については、音声再生部１４０に比較的低速に再生させて、所望の情報を取得することができる。一方、ユーザは、所望の情報を含まないと判断した部分については、音声再生部１４０に比較的高速に再生させて、聴覚的言語データ全体の再生時間を短縮することができる。
【００７０】
音声再生部１４０は、再生速度を低下させるユーザ指示を検出部１９５が検出すると、再生位置を巻き戻して、低下させた再生速度にて聴覚的言語データを再生する。
具体例として、音声再生部１４０は、再生速度を低下させるユーザ指示を検出部１９５が検出すると、現在の再生位置を含む単位の先頭へ再生位置を巻き戻す。さらに、音声再生部１４０は、低下させた再生速度にて聴覚的言語データを単位の先頭から再生する。
これにより、ユーザは、所望の情報を含む単位を先頭から聴くことができるので、所望の情報を取得し易くなる。
【００７１】
別の具体例として、音声再生部１４０は、再生速度を低下させるユーザ指示を検出部１９５が検出すると、現在の再生位置を含む単位の先頭よりもさらに遡った位置へ再生位置を巻き戻す。さらに、音声再生部１４０は、低下させた再生速度にて遡った位置から聴覚的言語データを再生する。
これにより、ユーザは、所望の情報を含む単位と、その前の単位との関係を把握することができ、所望の情報をより取得し易くなる。
【００７２】
音声再生部１４０は、制御部分の再生音量を大きくする。
具体例として、制御部分が比較的低速に再生すべき部分を示す場合について説明する。この場合、ユーザは、再生装置１００に聴覚的言語データを比較的高速に再生させて所望の情報を含む箇所を探す際、再生される音声がユーザや周囲の他者に耳障りとなるおそれを低減させ得る。一方で、ユーザ所望の情報を含む箇所については、音声再生部１４０が比較的大きい音量で再生を行うことで、ユーザが、所望の情報を得易くなる。
別の具体例として、制御部分が高速に再生すべき部分を示す場合について説明する。この場合、比較的高速での再生時にユーザが、所望の情報を含む箇所を検出し易くすることができる。
【００７３】
表示部１３０が、聴覚的言語データをテキストにてスクロール可能に表示し、検出部１９５は、表示部１３０の表示する聴覚的言語データに対するスクロール操作を再生速度のユーザ指示として検出する。
これにより、ユーザは、表示部１３０の表示に対するスクロール操作と、再生速度を指示するユーザ操作とを別々に行う必要がない。この点で、ユーザの手間を省くことができる。
【００７４】
表示部１３０は、聴覚的言語データのうち音声再生部１４０が再生している部分をテキストにて表示するように表示のスクロールを行う。
これにより、ユーザは、音声再生部１４０が再生する聴覚的言語データを視覚的にも確認することできる。例えば、ユーザは、音声再生部１４０が再生する聴覚的言語データを周囲の雑音等の影響で聴き取れなかった場合でも、表示部１３０の表示するテキストにて確認することができる。
また、ユーザは、音声再生部１４０の出力する発話音声にて聴覚的言語データの内容を確認できる。このため、ユーザは、表示部１３０を見続ける必要なしに、所望の情報を取得し得る。
【００７５】
設定部１９４は、聴覚的言語データの種類に基づいて制御部分の設定を行う。
これにより、設定部１９４は、聴覚的言語データの種類に応じて、重要な内容を含む可能性の高い部分を比較的低速に再生するよう、制御部分を設定することができる。
【００７６】
解析部１９２は、聴覚的言語データを使用するアプリケーションプログラムに基づいて、聴覚的言語データの種類を判定する。
これにより、解析部１９２は、聴覚的言語データを使用するアプリケーションプログラムを判定するという簡単な処理にて、聴覚的言語データの種類を判定することができる。
【００７７】
次に、図６を参照して、本発明の実施形態における聴覚的言語データ再生装置１００の主要部分について説明する。
図６は、本発明の実施形態における再生装置１００の主要部分を示す概略ブロック図である。図６では、図１に示す再生装置１００の各部のうち、取得部１２０と、解析部１９２と、設定部１９４と、音声再生部１４０とが示されている。
【００７８】
図６に示す構成において、取得部１２０が聴覚的言語データを取得する。解析部１９２がその聴覚的言語データを解析する。設定部１９４は、解析部１９２の解析結果に基づいて、聴覚的言語データに制御部分を設定する。音声再生部１４０は、設定部１９４の設定に従って聴覚的言語データを再生する。
これにより、図１に示す構成の場合と同様、ユーザは、内容を未知の音データに含まれる情報の取捨選択を、より短時間で行うことができる。
【００７９】
次に、図７を参照して、本発明の実施形態における再生速度制御部分設定装置（高速再生抑制設定装置）２００について説明する。
図７は、本発明の実施形態における再生速度制御部分設定装置（以下、単に「設定装置」とも称する）２００の機能構成を示す概略ブロック図である。図７では、図１に示す再生装置１００の各部のうち、取得部１２０と、解析部１９２と、設定部１９４とが示されている。
【００８０】
図７に示す構成において、取得部１２０が聴覚的言語データを取得する。解析部１９２がその聴覚的言語データを解析する。設定部１９４は、解析部１９２の解析結果に基づいて、聴覚的言語データに制御部分を設定する。
設定部１９４が制御部分を設定した聴覚的言語データを音声再生装置に再生させる。これにより、図１に示す構成の場合と同様、ユーザは、内容を未知の音データに含まれる情報の取捨選択を、より短時間で行うことができる。
設定装置２００が具備する機能部は図７に示す機能部に限らない。設定装置２００は、図７に示す各部に加えて他の機能部を含んでもよい。例えば、設定装置２００は、通信部１１０（図１参照）をさらに具備してもよい。
【００８１】
再生装置１００や設定装置２００の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。ここでいう「コンピュータシステム」とは、ＯＳや周辺機器等のハードウェアを含む。
「コンピュータシステム」は、ＷＷＷシステムを利用している場合であれば、ホームページ提供環境（あるいは表示環境）も含む。
「コンピュータ読み取り可能な記録媒体」は、フレキシブルディスク、光磁気ディスク、ＲＯＭ、ＣＤ−ＲＯＭ等の可搬媒体、コンピュータシステムに内蔵されるハードディスク等の記憶装置を含む。さらに「コンピュータ読み取り可能な記録媒体」は、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含む。上記プログラムは、前述した機能の一部を実現しても良い。上記プログラムは、前述した機能をコンピュータシステムにすでに記録されているプログラムとの組み合わせで実現できるものであっても良い。
【００８２】
以上、本発明の実施形態について図面を参照して詳述してきたが、具体的な構成はこの実施形態に限られるものではなく、この発明の要旨を逸脱しない範囲の設計変更等も含まれる。
【００８３】
この出願は、２０１２年１０月３１日に出願された日本国特願２０１２−２４０４３０を基礎とする優先権を主張し、その開示の全てをここに取り込む。
【産業上の利用可能性】
【００８４】
本発明は、再生装置、設定装置、再生方法およびプログラムに適用し得る。
【符号の説明】
【００８５】
１００  聴覚的言語データ再生装置
１１０  通信部
１２０  聴覚的言語データ取得部
１２１  記憶デバイス
１３０  表示部
１４０  音声再生部
１５０  操作入力部
１９０  制御部
１９１  通信制御部
１９２  解析部
１９３  表示制御部
１９４  再生速度制御部分設定部
１９５  ユーザ指示検出部
１９６  アプリケーション実行部
２００  再生速度制御部分設定装置
【図１】
2014069220.tif 000003
【図２】
2014069220.tif 000004
【図３】
2014069220.tif 000005
【図４Ａ】
2014069220.tif 000006
【図４Ｂ】
2014069220.tif 000007
【図４Ｃ】
2014069220.tif 000008
【図５】
2014069220.tif 000009
【図６】
2014069220.tif 000010
【図７】
2014069220.tif 000011
【国際調査報告】
2014069220.tif 000012
2014069220.tif 000013
2014069220.tif 000014
2014069220.tif 000015